(57)【要約】      （修正有）【課題】店舗宣伝用デジタルサイネージのコンテンツ作成コストを大幅に削減する。【解決手段】ウェブサーバ１０は、店舗宣伝用デジタルサイネージ３０が設置された店舗のホームページを構成する複数の店舗宣伝用ウェブページデータを記憶し、店舗宣伝用デジタルサイネージ３０は、複数の店舗宣伝用ウェブページデータの所在情報を記憶する所在情報記憶手段と、複数の店舗宣伝用ウェブページデータの表示順序及び／又は表示日時が設定されたスケジュール情報を記憶するスケジュール情報記憶手段と、所在情報及びスケジュール情報にもとづいて特定される店舗宣伝用ウェブページデータをウェブサーバ１０から取得するウェブページデータ取得手段と、取得した店舗宣伝用ウェブページデータを表示するウェブページデータ表示手段とを備える。【選択図】図１
2012159572.tif 000002
【特許請求の範囲】
【請求項１】
店舗に設置され、当該店舗の宣伝情報を表示する店舗宣伝用デジタルサイネージを用いた店舗宣伝システムであって、
インターネットを介して不特定多数のウェブ端末で閲覧可能なウェブページデータを記憶するウェブサーバを備え、該ウェブサーバは、前記店舗宣伝用デジタルサイネージが設置される店舗のホームページを構成する複数の店舗宣伝用ウェブページデータを記憶し、
前記店舗宣伝用デジタルサイネージは、
前記インターネットを介して前記ウェブサーバと通信する通信手段と、
複数の前記店舗宣伝用ウェブページデータの所在情報を記憶する所在情報記憶手段と、
複数の前記店舗宣伝用ウェブページデータの表示順序及び／又は表示日時が設定されたスケジュール情報を記憶するスケジュール情報記憶手段と、
前記所在情報及び前記スケジュール情報にもとづいて特定される前記店舗宣伝用ウェブページデータを前記ウェブサーバから取得するウェブページデータ取得手段と、
取得した前記店舗宣伝用ウェブページデータを表示するウェブページデータ表示手段と、を備えることを特徴とする店舗宣伝システム。
【請求項２】
前記ウェブページデータ取得手段は、前記ウェブサーバから取得した前記店舗宣伝用ウェブページデータを、記憶媒体に確保された所定のキャッシュ領域に記憶し、
前記ウェブページデータ表示手段は、前記キャッシュ領域に記憶された前記店舗宣伝用ウェブページデータを表示することを特徴とする請求項１記載の店舗宣伝システム。
【請求項３】
前記ウェブページデータ取得手段は、前記所在情報及び前記スケジュール情報にもとづいて特定される前記店舗宣伝用ウェブページデータを、予め設定される所定の時刻に事前に前記ウェブサーバから一括取得して所定の記憶領域に記憶する定時一括取得機能を備えることを特徴とする請求項１又は２記載の店舗宣伝システム。
【請求項４】
前記店舗宣伝用デジタルサイネージは、前記ウェブサーバから取得した前記店舗宣伝用ウェブページデータの内容を予め設定される非表示条件にもとづいて検査し、当該非表示条件に該当する前記店舗宣伝用ウェブページデータの表示を禁止する表示禁止手段を備えることを特徴とする請求項１〜３のいずれか一項に記載の店舗宣伝システム。
【請求項５】
店舗に設置され、当該店舗の宣伝情報を表示する店舗宣伝用デジタルサイネージであって、
インターネットを介して不特定多数のウェブ端末で閲覧可能なウェブページデータを記憶するウェブサーバと通信する通信手段と、
前記店舗宣伝用デジタルサイネージが設置される店舗のホームページを構成する複数の店舗宣伝用ウェブページデータの所在情報を記憶する所在情報記憶手段と、
複数の前記店舗宣伝用ウェブページデータの表示順序及び／又は表示日時が設定されたスケジュール情報を記憶するスケジュール情報記憶手段と、
前記所在情報及び前記スケジュール情報にもとづいて特定される前記店舗宣伝用ウェブページデータを前記ウェブサーバから取得するウェブページデータ取得手段と、
取得した前記店舗宣伝用ウェブページデータを表示するウェブページデータ表示手段と、を備えることを特徴とする店舗宣伝用デジタルサイネージ。
【請求項６】
前記ウェブページデータ取得手段は、前記ウェブサーバから取得した前記店舗宣伝用ウェブページデータを、記憶媒体に確保された所定のキャッシュ領域に記憶し、
前記ウェブページデータ表示手段は、前記キャッシュ領域に記憶された前記店舗宣伝用ウェブページデータを表示することを特徴とする請求項５記載の店舗宣伝用デジタルサイネージ。
【請求項７】
前記ウェブページデータ取得手段は、前記所在情報及び前記スケジュール情報にもとづいて特定される前記店舗宣伝用ウェブページデータを、予め設定される所定の時刻に事前に前記ウェブサーバから一括取得して所定の記憶領域に記憶する定時一括取得機能を備えることを特徴とする請求項５又は６記載の店舗宣伝用デジタルサイネージ。
【請求項８】
前記ウェブサーバから取得した前記店舗宣伝用ウェブページデータの内容を予め設定される非表示条件にもとづいて検査し、当該非表示条件に該当する前記店舗宣伝用ウェブページデータの表示を禁止する表示禁止手段を備えることを特徴とする請求項５〜７のいずれか一項に記載の店舗宣伝用デジタルサイネージ。
【発明の詳細な説明】
【技術分野】
【０００１】
本発明は、店舗に設置され、当該店舗の宣伝情報を表示する店舗宣伝用デジタルサイネージを用いた店舗宣伝システム及び店舗宣伝用デジタルサイネージに関する。
【背景技術】
【０００２】
店舗に設置され、当該店舗の宣伝情報を表示する店舗宣伝用デジタルサイネージ（電子看板）が知られている。店舗宣伝用デジタルサイネージとしては、多数のＬＥＤ（発光ダイオード）をマトリクス状に配置し、その発光制御にもとづいて文字や画像を表示するＬＥＤ表示機が主流であったが、近年では、液晶ディスプレイ、プラズマディスプレイなどの高解像度ディスプレイを採用した店舗宣伝用デジタルサイネージも増えている（例えば、特許文献１参照）。このような店舗宣伝用デジタルサイネージによれば、動画や静止画をテレビ並みの解像度で表示することができるので、店舗内の様子、取扱商品（サービス）の説明、価格等の情報を鮮明な画像で表示することにより、極めて高い集客効果が期待できる。
【先行技術文献】
【特許文献】
【０００３】
【特許文献１】特開２０１０−２８２１０９号公報
【発明の概要】
【発明が解決しようとする課題】
【０００４】
今後、上記のような店舗宣伝用デジタルサイネージは、コンビニエンスストア、スーパー、ドラッグストア、居酒屋などの大手チェーン店舗だけでなく、個人商店、小規模チェーン店舗などの中小零細店舗への導入が見込まれているが、中小零細店舗では、店舗宣伝用デジタルサイネージに表示するコンテンツの作成コストが大きな負担となり、導入の障害となる可能性がある。
【０００５】
つまり、多店舗展開している大手チェーン店舗では、同じコンテンツを多数の店舗で共有することができるので、１店舗あたりのコンテンツ作成コストを安く抑えることが可能であるが、中小零細店舗では、１店舗又は数店舗単位で個別にコンテンツを作成する必要があるので、１店舗あたりのコンテンツ作成コストがどうしても高くなってしまうという問題がある。
【０００６】
また、店舗宣伝用デジタルサイネージは、表示するコンテンツを適宜更新することにより、良好な集客効果を継続的に発揮し得るが、中小零細店舗では、通常、コンテンツを更新するスキルを持った管理者がいないので、中小零細店舗に設置されている従来のＬＥＤ表示機のように、長期間にわたって同じコンテンツを表示し、集客効果が低下する可能性がある。
【０００７】
このような問題は、店舗宣伝用デジタルサイネージのコンテンツ管理を業者に委託すれば、解決することが可能であるが、コンテンツ更新時に業者に支払う費用（コンテンツ更新費用＋出張費用）が大きな負担になるという問題がある。
【０００８】
尚、店舗宣伝用デジタルサイネージのコンテンツ管理をオンラインで遠隔管理できるようにすれば、出張費用が不要になるので、コンテンツ管理にかかる費用を削減することが可能であるが、中小零細店舗の店舗宣伝用デジタルサイネージを対象としたコンテンツの遠隔管理サービスは提供されていない。
【課題を解決するための手段】
【０００９】
本発明は、上記の如き実情に鑑みこれらの課題を解決することを目的として創作されたものであって、店舗に設置され、当該店舗の宣伝情報を表示する店舗宣伝用デジタルサイネージを用いた店舗宣伝システムであって、インターネットを介して不特定多数のウェブ端末で閲覧可能なウェブページデータを記憶するウェブサーバを備え、該ウェブサーバは、前記店舗宣伝用デジタルサイネージが設置される店舗のホームページを構成する複数の店舗宣伝用ウェブページデータを記憶し、前記店舗宣伝用デジタルサイネージは、前記インターネットを介して前記ウェブサーバと通信する通信手段と、複数の前記店舗宣伝用ウェブページデータの所在情報を記憶する所在情報記憶手段と、複数の前記店舗宣伝用ウェブページデータの表示順序及び／又は表示日時が設定されたスケジュール情報を記憶するスケジュール情報記憶手段と、前記所在情報及び前記スケジュール情報にもとづいて特定される前記店舗宣伝用ウェブページデータを前記ウェブサーバから取得するウェブページデータ取得手段と、取得した前記店舗宣伝用ウェブページデータを表示するウェブページデータ表示手段と、を備えることを特徴とする。
また、前記ウェブページデータ取得手段は、前記ウェブサーバから取得した前記店舗宣伝用ウェブページデータを、記憶媒体に確保された所定のキャッシュ領域に記憶し、前記ウェブページデータ表示手段は、前記キャッシュ領域に記憶された前記店舗宣伝用ウェブページデータを表示することを特徴とする。
また、前記ウェブページデータ取得手段は、前記所在情報及び前記スケジュール情報にもとづいて特定される前記店舗宣伝用ウェブページデータを、予め設定される所定の時刻に事前に前記ウェブサーバから一括取得して所定の記憶領域に記憶する定時一括取得機能を備えることを特徴とする。
また、前記店舗宣伝用デジタルサイネージは、前記ウェブサーバから取得した前記店舗宣伝用ウェブページデータの内容を予め設定される非表示条件にもとづいて検査し、当該非表示条件に該当する前記店舗宣伝用ウェブページデータの表示を禁止する表示禁止手段を備えることを特徴とする。
また、店舗に設置され、当該店舗の宣伝情報を表示する店舗宣伝用デジタルサイネージであって、インターネットを介して不特定多数のウェブ端末で閲覧可能なウェブページデータを記憶するウェブサーバと通信する通信手段と、前記店舗宣伝用デジタルサイネージが設置される店舗のホームページを構成する複数の店舗宣伝用ウェブページデータの所在情報を記憶する所在情報記憶手段と、複数の前記店舗宣伝用ウェブページデータの表示順序及び／又は表示日時が設定されたスケジュール情報を記憶するスケジュール情報記憶手段と、前記所在情報及び前記スケジュール情報にもとづいて特定される前記店舗宣伝用ウェブページデータを前記ウェブサーバから取得するウェブページデータ取得手段と、取得した前記店舗宣伝用ウェブページデータを表示するウェブページデータ表示手段と、を備えることを特徴とする。
また、前記ウェブページデータ取得手段は、前記ウェブサーバから取得した前記店舗宣伝用ウェブページデータを、記憶媒体に確保された所定のキャッシュ領域に記憶し、前記ウェブページデータ表示手段は、前記キャッシュ領域に記憶された前記店舗宣伝用ウェブページデータを表示することを特徴とする。
また、前記ウェブページデータ取得手段は、前記所在情報及び前記スケジュール情報にもとづいて特定される前記店舗宣伝用ウェブページデータを、予め設定される所定の時刻に事前に前記ウェブサーバから一括取得して所定の記憶領域に記憶する定時一括取得機能を備えることを特徴とする。
また、前記ウェブサーバから取得した前記店舗宣伝用ウェブページデータの内容を予め設定される非表示条件にもとづいて検査し、当該非表示条件に該当する前記店舗宣伝用ウェブページデータの表示を禁止する表示禁止手段を備えることを特徴とする。
【発明の効果】
【００１０】
請求項１に示す本発明の店舗宣伝システムによれば、店舗のホームページ（複数の店舗宣伝用ウェブページデータ）を店舗宣伝用デジタルサイネージのコンテンツに兼用することができるので、店舗宣伝用デジタルサイネージのコンテンツをホームページとは別に作成する場合に比べ、コンテンツ作成コストを大幅に削減し、中小零細店舗における店舗宣伝用デジタルサイネージの導入を促進することができる。しかも、店舗宣伝用デジタルサイネージにおいては、複数の店舗宣伝用ウェブページデータの表示順序や表示時刻を設定することができるので、状況や時間帯に応じて表示内容を柔軟に変更し、集客効果を高めることができる。また、ホームページを更新すれば、店舗宣伝用デジタルサイネージの表示内容も更新されるので、ホームページ管理業者などが店舗宣伝用デジタルサイネージの表示内容を遠隔管理することも可能になる。
また、請求項２に示す本発明の店舗宣伝システムによれば、ウェブサーバから取得した店舗宣伝用ウェブページデータを、記憶媒体に確保された所定のキャッシュ領域に記憶し、キャッシュ領域に記憶された店舗宣伝用ウェブページデータを店舗宣伝用デジタルサイネージに表示するので、ウェブサーバとの間で通信障害などが発生しても、キャッシュ領域に記憶された店舗宣伝用ウェブページデータを用いて店舗宣伝用デジタルサイネージの表示を継続することができる。
また、請求項３に示す本発明の店舗宣伝システムによれば、前記ウェブページデータ取得手段は、前記所在情報及び前記スケジュール情報にもとづいて特定される前記店舗宣伝用ウェブページデータを、予め設定される所定の時刻に事前に前記ウェブサーバから一括取得して所定の記憶領域に記憶する定時一括取得機能を備えるので、店舗宣伝用ウェブページデータの頻繁な取得を回避できるだけでなく、ホームページが更新された場合に、店舗宣伝用デジタルサイネージの表示内容も所定の時刻に自動的に更新することができる。
また、請求項４に示す本発明の店舗宣伝システムによれば、ウェブサーバから取得した店舗宣伝用ウェブページデータの内容を予め設定される非表示条件にもとづいて検査し、当該非表示条件に該当する前記店舗宣伝用ウェブページデータの表示を禁止するので、不適切な内容の店舗宣伝用ウェブページデータを誤って店舗宣伝用デジタルサイネージに表示してしまうような不都合を回避することができる。
また、請求項５に示す本発明の店舗宣伝用デジタルサイネージによれば、請求項１と同等の効果が得られる。
また、請求項６に示す本発明の店舗宣伝用デジタルサイネージによれば、請求項２と同等の効果が得られる。
また、請求項７に示す本発明の店舗宣伝用デジタルサイネージによれば、請求項３と同等の効果が得られる。
また、請求項８に示す本発明の店舗宣伝用デジタルサイネージによれば、請求項４と同等の効果が得られる。
【図面の簡単な説明】
【００１１】
【図１】店舗宣伝システムの構成を示すブロック図である。
【図２】ウェブサーバに記憶された店舗ホームページの構成を示す説明図である。
【図３】店舗宣伝用ウェブページデータのＵＲＬ（所在情報）を示す説明図である。
【図４】店舗宣伝用デジタルサイネージの正面図である。
【図５】店舗宣伝用デジタルサイネージの構成を示すブロック図である。
【図６】店舗宣伝用デジタルサイネージにおける店舗宣伝用ウェブページデータの表示スケジュール（スケジュール情報）を示す説明図である。
【図７】店舗宣伝用デジタルサイネージの制御例を示すフローチャートである。
【発明を実施するための形態】
【００１２】
以下、本発明の実施の形態について、図面に基づいて説明する。図１において、１は店舗宣伝システムであって、該店舗宣伝システム１は、ウェブサーバ１０と、ウェブ端末２０と、店舗宣伝用デジタルサイネージ３０と、これらを通信可能に接続するインターネット４０とを備えて構成されている。
【００１３】
ウェブサーバ１０は、インターネット４０を介して不特定多数のウェブ端末２０で閲覧可能なウェブページデータを記憶している。ウェブページデータは、ＨＴＭＬ（HyperText Markup Language）などのウェブページ記述言語で記述され、各ページ内には、文字、静止画像、動画、音声などのデータが含まれている。また、ウェブサーバ１０に記憶される各ウェブページデータは、ＵＲＬ（Uniform Resource Locator）によって所在が特定され、ＵＲＬの指定により各ウェブページデータの閲覧が可能になる。
【００１４】
本発明の実施形態に係るウェブサーバ１０は、店舗宣伝用デジタルサイネージ３０が設置される店舗のホームページを構成する複数の店舗宣伝用ウェブページデータを記憶している。店舗のホームページは、通常、最上層に位置するトップページの下層に、店舗内の様子などを案内する店舗案内ページ、店舗の取扱商品やサービスを案内する取扱商品・サービス案内ページ、店舗までの交通経路などを案内する交通案内ページ、顧客からの問合せを受け付ける問合せページなどのウェブページを階層的にリンクさせて構成されている。
【００１５】
例えば、図２に示す飲食店のホームページは、店舗案内ページ（店内案内ページ）として、個室の静止画像及び案内文を含む個室案内ページと、テーブル席の静止画像及び案内文を含むテーブル席案内ページと、カウンター席の静止画像及び案内文を含むカウンタ席案内ページとを備え、また、取扱商品・サービス案内ページ（メニュー案内ページ）としては、ランチメニューの静止画像及び案内文を含むランチメニュー案内ページと、ディナーメニューの静止画像及び案内文を含むディナーメニュー案内ページと、パーティーメニューの静止画像及び案内文を含むパーティーメニュー案内ページと、ドリンクメニューの静止画像及び案内文を含むドリンクメニュー案内ページとを備えており、各ウェブページには、例えば、図３に示すようなＵＲＬが付与されている。
【００１６】
ウェブ端末２０には、ウェブページを閲覧するパーソナルコンピュータ、携帯電話機などの閲覧者端末２１や、ウェブページを管理するパーソナルコンピュータなどの管理者端末２２が含まれている。閲覧者端末２１は、ウェブページ閲覧ソフトを備え、該ソフトを起動してＵＲＬを指定することにより、所望のウェブページを閲覧することが可能になる。また、管理者端末２２は、ウェブページ編集ソフトやウェブページ転送ソフトを備え、ウェブページ編集ソフトでウェブページデータを編集し、ウェブページ転送ソフトでウェブサーバに転送することにより、ウェブページを新規に登録したり、既存のウェブページを更新することが可能になる。
【００１７】
店舗宣伝用デジタルサイネージ３０は、店舗に設置され、当該店舗の宣伝情報を表示する。例えば、本実施形態の店舗宣伝用デジタルサイネージ３０は、図４及び図５に示すように、基本的な構成として、液晶ディスプレイ、プラズマディスプレイなどの高解像度ディスプレイからなる表示部３１と、音声を出力する音声出力部３２と、表示データや音声データを記憶する記憶部３３と、これらを制御する制御部３４とを備えて構成されている。
【００１８】
また、本実施形態の店舗宣伝用デジタルサイネージ３０は、本発明の要件を満たすために、通信手段３５、所在情報記憶手段３３ａ、スケジュール情報記憶手段３３ｂ、ウェブページデータ取得手段３４ａ及びウェブページデータ表示手段３４ｂを備えている。
【００１９】
通信手段３５は、インターネット４０を介してウェブサーバ１０と通信するためのものであり、例えば、通信手段３５を無線ＬＡＮ子機で構成すれば、店舗に設置される無線ＬＡＮ親機や公衆の無線ＬＡＮアクセスポイントを介してインターネット４０に接続することが可能になる。
【００２０】
所在情報記憶手段３３ａは、設置店舗のホームページを構成する複数の店舗宣伝用ウェブページデータの所在情報を記憶する。例えば、設置店舗のホームページが図２に示すものである場合は、図３に示すようなＵＲＬ情報を所在情報として記憶する。
【００２１】
スケジュール情報記憶手段３３ｂは、複数の店舗宣伝用ウェブページデータの表示順序及び／又は表示日時（年、月、日、時刻、季節、時間帯、曜日、祝祭日など）が設定されたスケジュール情報を記憶する。例えば、図６に示すスケジュール情報では、ランチの時間帯である１１時から１４時の間に、ランチメニュー案内ページ、個室案内ページ、テーブル席案内ページ及びカウンター席案内ページを図６に示す順番で１５秒・３０秒・４５秒・６０秒等、任意に設定した時間ずつ繰り返し表示し、また、ディナーの時間帯である１８時から２１時の間に、ディナーメニュー案内ページ、ドリンクメニュー案内ページ、個室案内ページ、テーブル席案内ページ及びカウンター席案内ページを図６に示す順番で１５秒・３０秒・４５秒・６０秒等、任意に設定した時間ずつ繰り返し表示するように設定されている。
【００２２】
ウェブページデータ取得手段３４ａは、所在情報及びスケジュール情報にもとづいて特定される店舗宣伝用ウェブページデータをウェブサーバ１０から取得する。例えば、スケジュール情報にもとづいて所定時間後に表示する予定の店舗宣伝用ウェブページデータを特定すると共に、そのＵＲＬを所在情報にもとづいて特定した後、店舗宣伝用ウェブページデータをウェブサーバ１０から取得し、取得した店舗宣伝用ウェブページデータを記憶部３３に確保されるキャッシュ領域３３ｃに記憶する。
【００２３】
尚、同じ店舗宣伝用ウェブページデータを繰り返し表示する場合、キャッシュ領域３３ｃに既に取得した同じ店舗宣伝用ウェブページデータが存在する否かを確認し、ここで存在すると判断したとき、ウェブサーバ１０からのデータ取得を省略するようにしてもよい。また、キャッシュ領域３３ｃは、メイン電源のＯＦＦ時に初期化されるが、所定時間毎に強制的に初期化したり、メイン電源のＯＦＦ後も店舗宣伝用ウェブページデータを保持するようにしてもよい。
【００２４】
また、ウェブページデータ取得手段３３ａには、所在情報及びスケジュール情報にもとづいて特定される店舗宣伝用ウェブページデータを、予め設定される所定の時刻に事前にウェブサーバ１０から一括取得して所定の記憶領域（例えば、キャッシュ領域３３ｃ）に記憶する定時一括取得機能を備えることができる。例えば、店舗宣伝用ウェブページデータを表示していない夜中などの時間帯に複数の店舗宣伝用ウェブページデータをまとめて取得することを可能にする。
【００２５】
ウェブページデータ表示手段３４ｂは、取得した店舗宣伝用ウェブページデータを表示する。例えば、キャッシュ領域３３ｃに記憶された店舗宣伝用ウェブページデータを表示部３１に表示させる。また、店舗宣伝用ウェブページデータに音声データが含まれる場合は、音声出力部３２から音声を出力させることができる。
【００２６】
また、本実施形態の店舗宣伝用デジタルサイネージ３０は、ウェブサーバ１０から取得した店舗宣伝用ウェブページデータの内容を予め設定される非表示条件にもとづいて検査し、当該非表示条件に該当する店舗宣伝用ウェブページデータの表示を禁止する表示禁止手段３４ｃを備えている。そして、非表示条件としては、例えば、下記に示すような条件を例示することができる。
非表示条件１：予め設定される表示禁止文字列が含まれている。
非表示条件２：予め設定される時間（例えば、スケジュール情報に設定された表示時間）よりも再生時間の長い動画データが含まれている。
非表示条件３：予め設定される解像度よりも低い解像度の画像が含まれている。
【００２７】
次に、店舗宣伝用デジタルサイネージ３０の制御例について、図７を参照して説明する。この図に示すように、店舗宣伝用デジタルサイネージ３０のウェブページデータ取得手段３４ａは、まず、現在の時刻と予め設定されるデータ取得時刻とを比較し、現在の時刻がデータ取得時刻であるか否かを判断する（Ｓ１）。この判断結果がＹＥＳの場合は、スケジュール情報にもとづいて取得する店舗宣伝用ウェブページデータを特定すると共に（Ｓ２）、そのＵＲＬを所在情報にもとづいて特定する（Ｓ３）。その後、特定したＵＲＬにもとづいてウェブサーバ１０にアクセスすると共に、特定した店舗宣伝用ウェブページデータを取得し、取得した店舗宣伝用ウェブページデータをキャッシュ領域３３ｃに記憶する（Ｓ４）。
【００２８】
一方、ウェブページデータ表示手段３４ｂは、現在の時刻に表示すべき店舗宣伝用ウェブページデータを特定すると共に、特定した店舗宣伝用ウェブページデータをキャッシュ領域３３ｃから読み出して表示部３１に表示させる（Ｓ５）。
【００２９】
叙述の如く構成された本実施形態によれば、店舗に設置され、当該店舗の宣伝情報を表示する店舗宣伝用デジタルサイネージ３０を用いた店舗宣伝システムであって、インターネット４０を介して不特定多数のウェブ端末２０で閲覧可能なウェブページデータを記憶するウェブサーバ１０を備え、該ウェブサーバ１０は、店舗宣伝用デジタルサイネージ３０が設置された店舗のホームページを構成する複数の店舗宣伝用ウェブページデータを記憶し、店舗宣伝用デジタルサイネージ３０は、インターネット４０を介してウェブサーバ１０と通信する通信手段３５と、複数の店舗宣伝用ウェブページデータの所在情報を記憶する所在情報記憶手段３３ａと、複数の店舗宣伝用ウェブページデータの表示順序及び／又は表示日時が設定されたスケジュール情報を記憶するスケジュール情報記憶手段３３ｂと、所在情報及びスケジュール情報にもとづいて特定される店舗宣伝用ウェブページデータをウェブサーバ１０から取得するウェブページデータ取得手段３４ａと、取得した店舗宣伝用ウェブページデータを表示するウェブページデータ表示手段３４ｂと、を備えるので、店舗のホームページ（複数の店舗宣伝用ウェブページデータ）を店舗宣伝用デジタルサイネージ３０のコンテンツに兼用することができ、その結果、店舗宣伝用デジタルサイネージ３０のコンテンツをホームページとは別に作成する場合に比べ、コンテンツ作成コストを大幅に削減し、中小零細店舗における店舗宣伝用デジタルサイネージ３０の導入を促進することができる。しかも、店舗宣伝用デジタルサイネージ３０においては、複数の店舗宣伝用ウェブページデータの表示順序や表示時刻を設定することができるので、状況や時間帯に応じて表示内容を柔軟に変更し、集客効果を高めることができる。また、ホームページを更新すれば、店舗宣伝用デジタルサイネージ３０の表示内容も更新されるので、ホームページ管理業者などが店舗宣伝用デジタルサイネージ３０の表示内容を遠隔管理することも可能になる。
【００３０】
また、ウェブページデータ取得手段３４ａは、ウェブサーバ１０から取得した店舗宣伝用ウェブページデータを、記憶部３３に確保された所定のキャッシュ領域３３ｃに記憶し、ウェブページデータ表示手段３４ｂは、キャッシュ領域３３ｃに記憶された店舗宣伝用ウェブページデータを表示するので、ウェブサーバ１０との間で通信障害などが発生しても、キャッシュ領域３３ｃに記憶された店舗宣伝用ウェブページデータを用いて店舗宣伝用デジタルサイネージ３０の表示を継続することができる。
【００３１】
また、ウェブページデータ取得手段３４ａは、所在情報及びスケジュール情報にもとづいて特定される店舗宣伝用ウェブページデータを、予め設定される所定の時刻に事前にウェブサーバ１０から一括取得して所定の記憶領域に記憶する定時一括取得機能を備えるので、店舗宣伝用ウェブページデータの頻繁な取得を回避できるだけでなく、ホームページが更新された場合に、店舗宣伝用デジタルサイネージの表示内容も所定の時刻に自動的に更新することができる。
【００３２】
また、店舗宣伝用デジタルサイネージ３０は、ウェブサーバ１０から取得した店舗宣伝用ウェブページデータの内容を予め設定される非表示条件にもとづいて検査し、当該非表示条件に該当する店舗宣伝用ウェブページデータの表示を禁止する表示禁止手段３４ｃを備えるので、不適切な内容の店舗宣伝用ウェブページデータを誤って店舗宣伝用デジタルサイネージ３０に表示してしまうような不都合を回避することができる。
【符号の説明】
【００３３】
１      店舗宣伝システム
１０    ウェブサーバ
２０    ウェブ端末
２１    閲覧者端末
２２    管理者端末
３０    店舗宣伝用デジタルサイネージ
３１    表示部
３２    音声出力部
３３    記憶部
３３ａ  所在情報記憶手段
３３ｂ  スケジュール情報記憶手段
３３ｃ  キャッシュ領域
３４    制御部
３４ａ  ウェブページデータ取得手段
３４ｂ  ウェブページデータ表示手段
３４ｃ  表示禁止手段
３５    通信手段
４０    インターネット
【図１】
2012159572.tif 000003
【図２】
2012159572.tif 000004
【図３】
2012159572.tif 000005
【図４】
2012159572.tif 000006
【図５】
2012159572.tif 000007
【図６】
2012159572.tif 000008
【図７】
2012159572.tif 000009